(57)【要約】【課題】障子を開閉しなくてもブラインドによる開口部の開閉を行い得、しかも、建物躯体に追加的に手を加えなくても簡単に設置することができるブラインド装置と窓枠との構造を提供すること。【解決手段】ブラインド装置１は、一対の縦枠２及び３間に互いに上下方向に並置された複数のスラット４からなるブラインド５と、スラット４のそれぞれの長手方向の端部６を支持しており、縦枠２及び３内に配された折り畳み自在なリンク機構７と、リンク機構７を介してスラット４のそれぞれを傾動させるべく、リンク機構７に連結されたチルト機構１０と、下端部が終端機構８を介して縦枠２及び３の夫々に連結されたリンク機構７の上端部をチルト機構１０を介して持上げて、ブラインド５を閉口位置に配するリンク持上げ機構９とを具備している。【選択図】図１
2011132806.tif 000002
【特許請求の範囲】
【請求項１】
一対の縦枠間に互いに上下方向に並置された複数のスラットからなるブラインドと、スラットのそれぞれの端部を支持しており、各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体と、回転体を回転させる紐状体とを具備したブラインド装置を建物躯体の窓の室外側に設けてなり、紐状体は、建物躯体に取付けられた窓枠の部位を通って窓の室内側に垂れ下げてなるブラインド装置と窓枠との構造。
【請求項２】
窓枠には貫通孔又は凹所が形成されており、紐状体は、貫通孔又は凹所を通って窓の室内側に垂れ下げてなる請求項１に記載のブラインド装置と窓枠との構造。
【請求項３】
窓枠には案内筒が装着されており、紐状体は、案内筒内を通っている請求項１又は２に記載のブラインド装置と窓枠との構造。
【請求項４】
案内筒は、その内部に互いに分離された一対の案内通路を有しており、紐状体は、一対の案内通路の夫々を通っている請求項３に記載のブラインド装置と窓枠との構造。
【請求項５】
一対の案内通路は、上下方向又は水平方向に並置されている請求項４に記載のブラインド装置と窓枠との構造。
【請求項６】
案内筒は、可撓性を有している請求項３から５のいずれか一項に記載のブラインド装置と窓枠との構造。
【請求項７】
案内筒の内周面は、滑り材で被覆されている請求項３から６のいずれか一項に記載のブラインド装置と窓枠との構造。
【請求項８】
紐状体は、玉チェーン、紐、ワイヤ又はベルトである請求項１から７のいずれか一項に記載のブラインド装置と窓枠との構造。
【請求項９】
窓枠は上枠を具備しており、紐状体は上枠の部位を通っている請求項１から８のいずれか一項に記載のブラインド装置と窓枠との構造。
【請求項１０】
窓枠は、上枠と、この上枠の下面に一体的に形成された障子レールとを具備しており、紐状体は障子レールの部位を通っている請求項１から８のいずれか一項に記載のブラインド装置と窓枠との構造。
【請求項１１】
窓枠には、紐状体の垂れ下がりを案内する案内部材が取付けられている請求項１から１０のいずれか一項に記載のブラインド装置と窓枠との構造。
【請求項１２】
請求項１から１１のいずれか一項に記載のブラインド装置と窓枠との構造に用いる窓枠であって、紐状体を通らせる貫通孔又は凹所をその上枠、上枠に設けられた障子レール又はその縦枠に形成してなる窓枠。
【発明の詳細な説明】
【技術分野】
【０００１】
本発明は、戸建住宅又は集合住宅等の建物の窓等に配置し、必要に応じてこれら窓等の目隠しをするブラインド装置と窓枠との構造に関する。
【発明の概要】
【発明が解決しようとする課題】
【０００２】
この種のブラインド装置は、通常、上下方向に並置された複数のスラットからなるブラインドを上方に配置し、昇降装置の作動により当該ブラインドを上方から下降させて建物の窓等の開口部を目隠しし、昇降装置の逆作動によりブラインドを上昇させて開口部を開口（開放）するように、構成されている。
【０００３】
ところで斯かるブラインド装置では、開口部を開口した場合にスラットを収容する収容部を建物の開口部の上方に配置するために、収容部により建物の開口部の開口の程度が低減されることになり、したがって、ブラインドを上昇させて開口部を開口しても、十分な開放感を得られない場合がある。そこで、開口部の開口の際には、ブラインドを下方に配置し、開口部の閉鎖（閉口）の際には、ブラインドの上端を持上げるようにしたブラインド装置が提案されている。
【０００４】
この提案に係るブラインド装置では、建物の開口部の上方に配される収容部を省き得るために、開口部の開口の際に十分な開放感を得られて極めて好ましいのであるが、ブラインドを上昇させる手動操作可能な玉チェーンは、建物躯体に手を加えるのを回避するために、通常、窓の障子の外に配されている結果、ブラインドによる開口部の開閉に際しては、障子を一旦開口して玉チェーンを手動操作せざるを得ない。
【０００５】
しかるに、ブラインドによる開口部の開閉の度に障子を開口することは極めて面倒である上に、空調、暖房、冷房等を室内に施している場合にはこれらが無駄になり、しかも、障子の外側に玉チェーンが垂れ下がっていると、防犯上においても好ましくはない。
【０００６】
本発明は、前記諸点に鑑みてなされたものであって、その目的とするところは、障子を開閉しなくてもブラインドによる開口部の開閉を行い得、しかも、建物躯体に追加的に手を加えなくても簡単に設置することができるブラインド装置と窓枠との構造を提供することにある。
【課題を解決するための手段】
【０００７】
本発明の第一の態様のブラインド装置と窓枠との構造は、一対の縦枠間に互いに上下方向に並置された複数のスラットからなるブラインドと、スラットのそれぞれの端部を支持しており、各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体と、回転体を回転させる紐状体とを具備したブラインド装置を建物躯体の窓の室外側に設けてなり、ここで、紐状体は、建物躯体に取付けられた窓枠の部位を通って窓の室内側に垂れ下げてなる。
【０００８】
第一の態様の構造によれば、紐状体を手動操作することにより回転体を回転させて長尺体を巻き取り、繰り出し、この長尺体の巻き取り、繰り出しによりリンク機構の上端部を上昇、下降させて、ブラインドによる開口部の閉鎖、開口を行うようになっており、しかも、紐状体が建物躯体に取付けられた窓枠の部位を通って窓の室内側に垂れ下げられているために、窓枠に設置された障子を開閉しなくてもブラインドによる開口部の開閉を行い得、その上、建物躯体に追加的に手を加えなくても設置することができる。
【０００９】
本発明における紐状体は、窓枠の部位を通っていればよいのであるが、好ましくは、本発明の第二の態様の構造のように、窓枠に貫通孔又は凹所を形成して、この貫通孔又は凹所を通って窓枠の部位を通っていてもよく、更に、本発明の第三の態様の構造のように、窓枠に装着された案内筒内を通って窓枠の部位を通っていてもよく、ここで、案内筒は、好ましくは、本発明の第四の態様の構造のように、その内部に互いに分離された一対の案内通路を有しており、斯かる案内筒の場合には、無端体の紐状体は一対の案内通路の夫々を通って、窓枠の部位を通っていてもよく、好ましい例では、一対の案内通路は、本発明の第五の態様の構造のように、上下方向又は水平方向に並置されている。なお、紐状体は有端体であっても無端体であってもよい。
【００１０】
案内筒は、剛体であってもよいのであるが、好ましくは、本発明の第六の態様の構造のように、フレキシブルチューブのように可撓性を有しており、また、本発明の第七の態様の構造のように、その内周面が滑り材で被覆されていると、紐状体の走行を滑らかに行い得て好ましい。
【００１１】
紐状体としては、本発明の第八の態様の構造のように、金属製又は合成樹脂製の玉チェーン、紐、ワイヤ又はベルトのいずれであってもよいが、好ましくは、玉チェーン、特に好ましくは金属製の玉チェーンである。
【００１２】
好ましくは、本発明の第九の態様の構造のように、窓枠は、上枠を具備しており、紐状体は、上枠の部位を通っており、また本発明の第十の態様の構造のように、窓枠は、上枠と、この上枠の下面に一体的に形成された障子レールとを具備しており、紐状体は、障子レールの部位を通っている。なお、紐状体を、窓枠の縦枠の上部を通って窓の室内側に垂れ下げてもよい。
【００１３】
紐状体の窓の室内側での垂れ下がりを確実にするために、本発明の第十一の態様の構造のように、紐状体の垂れ下げを案内する案内部材を窓枠に取付けてもよい。
【発明の効果】
【００１４】
本発明によれば、障子を開閉しなくてもブラインドによる開口部の開閉を行い得、しかも、建物躯体に追加的に手を加えなくても設置することができるブラインド装置と窓枠との構造を提供することができる。
【図面の簡単な説明】
【００１５】
【図１】図１は、本発明の好ましい実施の形態の一例の全体斜視図である。
【図２】図２は、図１に示す例の一方の縦枠側の一部縦断面説明図である。
【図３】図３は、図１に示す例の横断面説明図である。
【図４】図４は、図１に示す一方の縦枠側の一部説明図である。
【図５】図５は、図１に示す例の一方の縦枠内の詳細説明図である。
【図６】図６は、図５の一部拡大説明図である。
【図７】図７は、図１に示す例の一方の縦枠の横断面説明図である。
【図８】図８は、図１に示す例の動作説明図である。
【図９】図９は、図１に示す例の動作説明図である。
【図１０】図１０は、図１に示す例の動作説明図である。
【図１１】図１１は、図１に示す例の動作説明図である。
【図１２】図１２は、本発明の好ましい実施の形態の他の例の説明図である。
【発明を実施するための形態】
【００１６】
次に本発明を、図に示す実施の形態の好ましい例を参照して更に詳細に説明する。なお、本発明はこれら例に何等限定されないのである。
【００１７】
図１から図７において、本例のブラインド装置１は、一対の縦枠２及び３間に互いに上下方向に並置された複数のスラット４からなるブラインド５と、スラット４のそれぞれの長手方向の端部６を支持しており、縦枠２及び３内に配された折り畳み自在なリンク機構７（縦枠３側は図示せず、以下同じ）と、リンク機構７を介してスラット４のそれぞれを傾動させるべく、リンク機構７に連結されたチルト機構１０（縦枠３側は図示せず、以下同じ）と、下端部が終端機構８（同じく縦枠３側は図示せず、以下同じ）を介して縦枠２及び３の夫々に連結されたリンク機構７の上端部をチルト機構１０を介して持上げて、ブラインド５を閉口位置に配するリンク持上げ機構９とを具備している。
【００１８】
縦枠３並びに縦枠３側のリンク機構、終端機構及びチルト機構等の夫々は、縦枠２並びに縦枠２側のリンク機構７、終端機構８及びチルト機構１０等の夫々と同様に構成されているため、以下主に縦枠２側について説明し、必要に応じて縦枠３側について説明する。
【００１９】
縦枠２と縦枠３とは、上枠１５により橋絡されて、ブラインド５により開口、閉口される開口部１６を形成している。縦枠２には、上下方向に伸びるスリット１７が形成されている。
【００２０】
スラット４のそれぞれは、開口部１６を閉口した際に外部に露出される大樋状部２１と、開口部１６を閉口した際に上段の大樋状部２１の下端側に重合される小樋状部２２とを一体的に有しており、大樋状部２１の下端部にシール部材２３が嵌装されてなる。
【００２１】
リンク機構７は、複数の縦リンク部材２５が軸ピン２６を介して互いに回動自在に直列に連結されてなる縦リンク列２７と、縦リンク列２７と同様に、複数の縦リンク部材２８が軸ピン２９を介して互いに回動自在に直列に連結されて、縦リンク列２７に並設されてなる縦リンク列３０と、一端部が一個おきの軸ピン２６を介して縦リンク列２７に、他端部が一個おきの軸ピン２９を介して縦リンク列３０にそれぞれ回動自在に連結された複数の横リンク部材３１からなる横リンク列３２とを具備しており、スラット４のそれぞれの端部６は、横リンク部材３１に、スリット１７を通る取付具３３により固定して連結されている。なお、縦リンク列２７及び３０の折り畳み方向を規定すべく、縦リンク部材２５及び２８には阻止片３４が一体的に設けられている。
【００２２】
終端機構８は、一端で横リンク列３２の最下位の横リンク部材３１に軸ピン（図示せず）を介して回動自在に連結されたリンク部材４１と、一端でリンク部材４１の他端に軸ピン４２を介して回動自在に連結されたリンク部材４３と、リンク部材４３の他端が軸ピン４４を介して回動自在に連結されていると共に、縦枠２の底壁４５に固着されている基部材４６とを具備しており、斯かる終端機構８を介してリンク機構７の下端部が縦枠２に連結されている。
【００２３】
終端機構８におけるリンク部材４１又は４３を伸縮自在なコイルばね等で構成して、斯かるコイルばね等によりリンク機構７の下端部が若干上下変位可能になるようにすると共に、リンク機構７が伸張した場合にリンク機構７を全体的に下方に弾性的に引っ張るようにしてもよい。
【００２４】
リンク持上げ機構９は、縦枠２に軸５１を介して回転自在に支持された転向ローラ５２と、縦枠２及び３を橋絡して且つ両端で当該縦枠２及び３に回転自在に支持された回転軸５３と、縦枠２に回転軸５３を介して回転自在に支持された回転体としてのプーリ５４と、一端である繰り出し端が直動自在部材５０の板状の本体５５に連結されていると共に、転向ローラ５２に掛け回されて他端がプーリ５４に連結され且つ当該プーリ５４に巻き付けられた可撓性の長尺体としての金属製のベルト５６と、回転軸５３に固着されたプーリ５４を回転させる回転駆動装置５７とを具備している。
【００２５】
リンク持上げ機構９は、縦枠２側の転向ローラ５２、プーリ５４及び金属製のベルト５６と同様に構成された転向ローラ５２ａ、プーリ５４ａ、金属製のベルト５６ａを縦枠３側にも具備しており、プーリ５４ａは、縦枠３側において回転軸５３の端部に固着されている。
【００２６】
回転駆動装置５７は、縦枠２に支持されていると共に、回転軸５３が回転自在に貫通しているハウジング６１と、無端体の紐状体としての玉チェーン６２と、ハウジング６１及び縦枠２に回転自在に支持された軸６３と、玉チェーン６２が巻きつけられていると共に、軸６３に固着された滑車６４と、ハウジング６１内に配されており、滑車６４の回転による軸６３の回転を減速して回転軸５３に出力すると共に、ブラインド５及びリンク機構７等の自重によっては回転軸５３を回転させないようにする一方、玉チェーン６２の走行による滑車６４の回転を許容する程度の制動を回転軸５３又は軸６３に与える減速兼制動機構６５とを具備している。
【００２７】
回転駆動装置５７によれば、玉チェーン６２の一方の垂れ下がり部７１を手動により下方に引き下げて、回転部材としての滑車６４をＲ１方向に回転させることにより、軸６３及び減速兼制動機構６５を介して回転軸５３を減速して回転させることができ、回転軸５３の回転により、ベルト５６の巻き取り方向にプーリ５４（縦枠３側のプーリ５４ａも同様）を回転させることができ、玉チェーン６２の他方の垂れ下がり部７２を手動により下方に引き下げて、滑車６４をＲ２方向に回転させることにより、前記と逆にベルト５６の繰り出し方向にプーリ５４を回転させることができる。
【００２８】
以上のリンク持上げ機構９は、玉チェーン６２の垂れ下がり部７１の引き下げでプーリ５４をベルト５６の巻き取り方向に回転させて、これによりリンク機構７の上端部をチルト機構１０を介して持上げ、ブラインド５を閉口位置に配するようになっていると共に、玉チェーン６２の垂れ下がり部７２の引き下げでプーリ５４をベルト５６の繰り出し方向に回転させて、これによりリンク機構７の上端部の下降を許容して、ブラインド５を開口位置に配するようになっている。
【００２９】
チルト機構１０は、縦枠２に直動自在、すなわち上下動自在に案内されると共に、軸心１３１を中心とするＲ３方向の回動が縦枠２によって規制されており、且つ、一方では横リンク部材３１のうちで最上位の横リンク部材１３２が軸心１３１を中心とするＲ３及びＲ４方向に回動自在に、他方ではリンク持上げ機構９が夫々連結されてなる前述の直動自在部材５０と、最上位の横リンク部材１３２に取付けられた取付部材１３３と、一端１３４が直動自在部材５０の前述の本体５５に、他端１３５が取付部材１３３を介して最上位の横リンク部材１３２に夫々連結されており、当該最上位の横リンク部材１３２に弾性的な一の方向Ｒ３の回動力を与える弾性部材としてのコイルばね１３６と、最上位の横リンク部材１３２の開口部１６の上方での上昇に際して、コイルばね１３６の弾性的な一の方向Ｒ３の回動力に抗して最上位の横リンク部材１３２を逆の方向Ｒ４に強制的に回動させる逆強制回動機構１３７とを具備している。
【００３０】
直動自在部材５０は、板状の本体５５と、本体５５に上下方向に並んで一体的に設けられた鍔１４０付の二個の突起１３８とを具備しており、本体５５の上端部にはベルト５６の繰り出し端が固着されており、本体５５の下端部は、軸部材１３９により横リンク部材１３２及び取付部材１３３に軸心１３１を中心とするＲ３及びＲ４方向に相対的に回動自在に連結されており、こうして、本体５５は、一方では最上位の横リンク部材１３２がＲ３及びＲ４方向に回動自在に、他方ではリンク持上げ機構９が夫々連結されてなり、而して、直動自在部材５０は、最上位の横リンク部材１３２に軸部材１３９を介してＲ３及びＲ４方向に相対的に回動自在に連結されており、突起１３８は、縦枠２の縦方向に伸びるスリット１７に上下方向に摺動自在に挿通されており、直動自在部材５０の本体５５は、スリット１７とスリット１７に挿通された二個の突起１３８とにより、その上下動が案内されると共に、軸心１３１を中心とするＲ３及びＲ４方向のその回動が規制されるようになっている。各突起１３８の鍔１４０は、スリット１７から突起１３８が抜け出るのを防止している。
【００３１】
取付部材１３３は、一端部では軸ピン２６を介して、他端部では軸ピン２９を介して横リンク部材１３２に取付けられており、横リンク部材１３２の軸心１３１を中心とするＲ３及びＲ４方向の回動と共に、同じく軸心１３１を中心としてＲ３及びＲ４方向に回動されるようになっており、こうして最上位の横リンク部材１３２に取付けられた取付部材１３３を介してコイルばね１３６の他端１３５は、最上位の横リンク部材１３２に連結されている。
【００３２】
なお、弾性部材として、コイルばね１３６を用いる代わりにぜんまいばねを用いる場合には、一端を最上位の横リンク部材１３２に、他端を本体５５に夫々連結して、軸心１３１の回り、例えば軸部材１３９の回りに配するとよい。
【００３３】
逆強制回動機構１３７は、最上位の横リンク部材１３２に軸ピン２６を介して回転自在に設けられたカムローラ１７１と、最上位の横リンク部材１３２の開口部１６上方での上昇に際して、カムローラ１７１が当接するように、縦枠２に設けられた案内カム面１７２とを具備しており、案内カム面１７２は、本例では縦枠２に取付けられた突起１７３の外面からなる。
【００３４】
チルト機構１０は、図２及び図４に示すブラインド５による開口部１６の閉口状態で、玉チェーン６２の垂れ下がり部７２の引き下げでベルト５６が繰り出される場合、最上位の横リンク部材１３２の下降により、図９に示すようにカムローラ１７１と案内カム面１７２との互いの当接が解除されて、コイルばね１３６の弾性的な一の方向Ｒ３の回動力により最上位の横リンク部材１３２を強制的に一の方向Ｒ３に回動させ、逆に、図１１に示すブラインド５による開口部１６の開口状態で、玉チェーン６２の垂れ下がり部７１の引き下げでベルト５６が巻き取られる場合、カムローラ１７１の突起１７３への当接に基づく案内カム面１７２への案内当接で、コイルばね１３６の弾性的な一の方向Ｒ３の回動力に抗して最上位の横リンク部材１３２に逆方向Ｒ４の回動を生じさせ、而して、リンク機構７を介してスラット４のそれぞれを、図１１に示す状態から図１０に示す状態を経由して図８に示す状態のように又は図８に示す状態から図２及び図４に示す状態のように傾動させるようになっている。
【００３５】
以上のように、一対の縦枠２及び３間に互いに上下方向に並置された複数のスラット４からなるブラインド５と、スラット４のそれぞれの端部６を支持しており、縦枠２及び３の夫々に配された折り畳み自在なリンク機構７と、一端部がリンク機構７の上端部に連結された可撓性の長尺体としての金属製のベルト５６と、ベルト５６の他端部が連結されていると共に回転によりベルト５６を巻き取り、繰り出す回転体としてのプーリ５４と、プーリ５４を回転させる紐状体としての玉チェーン６２とを具備したブラインド装置１は、窓枠８１が配された窓８２の室外側８３に、戸建住宅又は集合住宅の建物躯体８５に公知の手段で取付けられて設けられ、玉チェーン６２は、建物躯体８５に取付けられた窓枠８１の部位を通って窓８２の室内側８６に垂れ下げられている。
【００３６】
本例では、窓枠８１は、上枠９１と、上枠９１の下面に一体的に形成された障子レール９２と、図示しないが下枠、一対の縦枠及び下枠の上面に一体的に形成された障子レールとを具備しており、上枠９１は、建物躯体８５に固着されており、下枠及び一対の縦枠も同様に建物躯体８５に固着されており、障子レール９２及び下枠の障子レール間に窓ガラスからなる障子９３が移動自在に嵌め込まれている。
【００３７】
上枠９１には貫通孔９４及び９５が形成されており、貫通孔９４及び９５を通って上枠９１には可撓性の案内筒９６が装着されており、案内筒９６は、その内部に互いに分離されて上下方向に並置された一対の案内通路９７及び９８を有しており、案内筒９６の内周面は滑り材で被覆されており、玉チェーン６２は、上枠９１の部位を通って、具体的には貫通孔９４及び９５を通って、より具体的には本例では貫通孔９４及び９５に配された案内筒９６内の案内通路９７及び９８の夫々を通って、窓８２の室内側８６に垂れ下げられている。
【００３８】
上枠９１には、玉チェーン６２の垂れ下げを案内する案内部材９９が取付けられており、案内部材９９は、案内筒９６の一対の案内通路９７及び９８に対応して湾曲した一対の案内通路１００及び１０１を内部に有しており、玉チェーン６２は、一対の案内通路１００及び１０１を通って下方に案内されている。
【００３９】
ブラインド装置１では、開口部１６の開口においては、縦リンク列２７及び３０は折り畳まれており、図１１に示すようにスラット４のそれぞれは開口部１６の下方に互いに密に重合されて（束ねられて）いる。
【００４０】
ブラインド装置１における開口部１６の閉口に際しては、まず、玉チェーン６２の垂れ下がり部７１を引き下げて滑車６４をＲ１方向に回転させて、軸６３、減速兼制動機構６５及び回転軸５３を介してプーリ５４を回転し、これによりベルト５６をプーリ５４に巻き込んで、最上位の横リンク部材１３２を上昇させる。横リンク部材１３２の上昇により、縦リンク列２７及び３０もその上端部側から伸長され、而して横リンク列３２の横リンク部材３１も上方側から上方に持上げられる結果、横リンク部材１３２を含む横リンク部材３１に固定されたスラット４のそれぞれは、順次、開口部１６の閉口方向に持上げられる。図９に示すように、突起１７３に当接しない位置にカムローラ１７１が位置している際には、スラット４がほぼ水平方向の傾動状態に保持されるように、縦リンク列２７及び３０並びに横リンク列３２等が形成されている。
【００４１】
更に、ベルト５６のプーリ５４への巻き込みにより縦リンク列２７及び３０が伸長されて、ブラインド５の開口部１６の途中閉口位置、本例では開口部１６の完全閉口直前位置で、図６に示すように、カムローラ１７１が突起１７３に当接して案内カム面１７２に案内され始めると、最上位の横リンク部材１３２のＲ４方向の回動で縦リンク列２７に対して縦リンク列３０がより持上げられるようになり、これによりスラット４が図８に示すように回動され、順次垂直方向の傾動状態に設定される。更に、最上位の横リンク部材１３２のＲ４方向の回動と縦リンク列３０の持上げで、図４に示すようにスラット４がほぼ垂直方向の傾動状態に保持されて、開口部１６が完全目隠しされた状態でブラインド５により全閉（完全閉口）される。その後、玉チェーン６２の引き下げによるプーリ５４の回転が停止されて、ブラインド５による開口部１６の閉口動作が完了する。
【００４２】
ブラインド５による開口部１６の開口においては、玉チェーン６２の垂れ下がり部７２を引き下げて滑車６４をＲ２方向に回転すると、この回転の助力とスラット４等の自重とによりプーリ５４が前記と逆回転されて、図４、図８、図１０及び図１１に示すように、この順番で縦リンク列２７及び３０等が作動される。
【００４３】
以上のブラインド装置１と窓枠８１との構造によれば、玉チェーン６２を手動操作することによりプーリ５４を回転させてベルト５６を巻き取り、繰り出し、ベルト５６の巻き取り、繰り出しによりリンク機構７の上端部を上昇、下降させて、ブラインド５による開口部１６の閉鎖、開口を行うようになって、しかも、玉チェーン６２が建物躯体８５に取付けられた窓枠８１の部位である上枠９１を通って窓８２の室内側８６に垂れ下げられているために、窓枠８１に設置された障子９３を開閉しなくてもブラインド５による開口部１６の開閉を行い得、その上、貫通孔９４及び９５が形成された窓枠８１を用いるだけで、特に建物躯体８５に追加的に手を加えなくても設置することができる。
【００４４】
また、本例のブラインド装置１によれば、チルト機構１０によりスラット４のそれぞれを傾動させて、開口部１６の完全閉口と開口部１６の簾状態の閉口とを選択的に行うことができる上に、チルト機構１０が最上位の横リンク部材１３２に弾性的な一の方向Ｒ３の回動力を与えるコイルばね１３６を具備しているために、逆強制回動機構１３７により最上位の横リンク部材１３２が逆の方向Ｒ４に強制的に回動された後に、再びブラインド５を開口位置に移行させるべく、最上位の横リンク部材１３２を下降させる際に、最上位の横リンク部材１３２をコイルばね１３６の弾性的な回動力により一の方向Ｒ３に強制的に回動させることができる結果、スラット４の水平状態への移行を低コストで且つ高い信頼度をもって行わせることができる。
【００４５】
上記のブラインド装置１と窓枠８１との構造では、上下方向に並置された一対の案内通路９７及び９８を有した案内筒９６を上枠９１に装着したが、これに代えて、図１２に示すように、上枠９１の下面に一体形成された障子レール９２に貫通孔１０４を形成し、水平方向に並置された一対の案内通路１０５を有した案内筒１０６を、貫通孔１０４を通って障子レール９２に装着して、案内通路１０５に玉チェーン６２を配置して、こうして、玉チェーン６２を障子レール９２の部位を通って窓８２の室内側８６に垂れ下げてもよい。なお、図１２に示す例では、案内部材９９も、案内筒１０６の一対の案内通路１０５に対応して水平方向に並置された一対の案内通路１０７を内部に有したものを用いるとよい。
【００４６】
更に、滑車６４から玉チェーン６２が外れないようにするために、図１２に示すように外れ防止部材１０８を滑車６４を取り囲むようにして設けてもよい。
【００４７】
また上記のブラインド装置１では、減速兼制動機構６５を具備した回転駆動装置５７を用いたが、これに代えて、玉チェーン６２の一方の垂れ下がり部７１を引き下げない限り、回転軸５３又は軸６３にラチェットが掛かってブラインド５及びリンク機構７等の自重では回転軸５３を回転させないようにすると共に、玉チェーン６２の他方の垂れ下がり部７２の引き下げでは同じく回転軸５３又は軸６３にラチェットが掛かって回転軸５３を回転できないようにする一方、玉チェーン６２の一方の垂れ下がり部７１の継続した一定以上の引き下げではラチェットを解除して回転軸５３をＲ１方向に回転させることができるようにすると共に、玉チェーン６２の一方の垂れ下がり部７１の一時的な少量の引き下げでは、ラチェットが解除されて回転軸５３が回転自在となり、ブラインド５及びリンク機構７等の自重によって回転軸５３がＲ２方向に回転されるようにした減速兼ラチェット機構を具備した回転駆動装置５７を用いてもよい。
【符号の説明】
【００４８】
１  ブラインド装置
２、３  縦枠
４  スラット
５  ブラインド
６  端部
７  リンク機構
５４  プーリ
５６  ベルト
６２  玉チェーン
８１  窓枠
８２  窓
８３  室外側
８５  建物躯体
８６  室内側
【図１】
2011132806.tif 000003
【図２】
2011132806.tif 000004
【図３】
2011132806.tif 000005
【図４】
2011132806.tif 000006
【図５】
2011132806.tif 000007
【図６】
2011132806.tif 000008
【図７】
2011132806.tif 000009
【図８】
2011132806.tif 000010
【図９】
2011132806.tif 000011
【図１０】
2011132806.tif 000012
【図１１】
2011132806.tif 000013
【図１２】
2011132806.tif 000014
【手続補正書】
【提出日】平成23年5月2日(2011.5.2)
【手続補正１】
【補正対象書類名】特許請求の範囲
【補正対象項目名】全文
【補正方法】変更
【補正の内容】
【特許請求の範囲】
【請求項１】
一対の縦枠間に互いに上下方向に並置された複数のスラットからなるブラインドと、スラットのそれぞれの端部を支持しており、各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体と、回転体を回転させる紐状体とを具備したブラインド装置を建物躯体の窓の室外側に設けてなり、紐状体は、建物躯体に取付けられた窓枠の部位を通って窓の室内側に垂れ下げてなるブラインド装置と窓枠との構造。